(57)【要約】【課題】放射線撮影を行う際に必要な情報を、容易且つ短時間に入力することができる医用画像処理システム等を提供する。【解決手段】この医用画像処理システムは、被検者に放射線を照射して撮影された放射線画像を読み取ることによって得られた画像データに基づいて放射線画像データを生成するシステムであって、被検者である患者を識別するための患者情報及び撮影対象である部位に関する情報を含む複数の撮影情報であって、過去に行われた放射線撮影に関する複数の撮影情報を記録する記録媒体と、複数の撮影情報の中から、１つの撮影情報を表示する表示部３２と、表示部に表示された撮影情報について、新たに行われる放射線撮影における被検者に関する情報及び検査に関する情報との相違部分を修正させるために用いられる入力部３１と、入力部を用いて修正された内容に基づいて、新たに行われる放射線撮影において用いられる撮影情報を登録する撮影情報登録部４１ａとを含む。【選択図】  図２
2004283267.tif 000002
【特許請求の範囲】
【請求項１】
被検者に放射線を照射して撮影された放射線画像を読み取ることによって得られた画像データに基づいて放射線画像データを生成するシステムであって、
被検者である患者を識別するための患者情報及び撮影対象である部位に関する情報を含む複数の撮影情報であって、過去に行われた放射線撮影に関する複数の撮影情報を記録する記録手段と、
前記複数の撮影情報の中から、１つの撮影情報を表示する表示手段と、
前記表示手段に表示された撮影情報について、新たに行われる放射線撮影における被検者に関する情報及び検査に関する情報との相違部分を修正させるために用いられる入力手段と、
前記入力手段を用いて修正された内容に基づいて、新たに行われる放射線撮影において用いられる撮影情報を登録する撮影情報登録手段と、
を具備する医用画像撮影システム。
【請求項２】
前記表示手段が、前記複数の撮影情報の中から、前回行われた放射線撮影に関する撮影情報を表示する、請求項１記載の医用画像撮影システム。
【請求項３】
前記表示手段が、前記複数の撮影情報の中から、撮影順序の新しい順に並べられた撮影情報のリストを表示すると共に、前記撮影情報のリストの中から選択された撮影情報を表示し、
前記表示手段に表示された撮影情報のリストの中から、所望の撮影情報を選択させるための第２の入力手段をさらに具備する、
請求項１記載の医用画像撮影システム。
【請求項４】
前記表示手段が、前記複数の撮影情報の中から、患者ごとに並べられた複数の撮影情報のリストを表示すると共に、前記撮影情報のリストの中から選択された撮影情報を表示し、
前記表示手段に表示された撮影情報のリストの中から、所望の撮影情報を選択させるための第２の入力手段をさらに具備する、
請求項１記載の医用画像撮影システム。
【請求項５】
被検者に放射線を照射して撮影された放射線画像を読み取ることによって得られた画像データに基づいて放射線画像データを生成する方法であって、
予め記録されている被検者である患者を識別するための患者情報及び撮影対象である部位に関する情報を含む複数の撮影情報であって、過去に行われた放射線撮影に関する前記複数の撮影情報の中から、１つの撮影情報を表示するステップ（ａ）と、
表示された撮影情報について、新たに行われる放射線撮影における被検者に関する情報及び検査に関する情報との相違部分を修正するステップ（ｂ）と、
ステップ（ｂ）において修正された内容に基づいて、新たに行われる放射線撮影において用いられる撮影情報を登録するステップ（ｃ）と、
を具備する医用画像撮影方法。
【発明の詳細な説明】
【０００１】
【発明の属する技術分野】
本発明は、被検者に放射線を照射して撮影を行い、この放射線の透過量に対応して形成される放射線画像を読み取ることにより得られた画像データを処理して、医療用診断画像を表示又は出力する医用画像撮影システムに関する。さらに、本発明は、そのような医用画像撮影システムにおいて用いられる医用画像処理装置に関する。
【０００２】
【従来の技術】
従来より、放射線（Ｘ線、α線、β線、γ線、電子線、紫外線等）を用いた撮影方法は様々な分野で利用されており、特に医療分野においては、診断のための最も重要な手段の一つとなっている。最初のＸ線写真が実現されてから、Ｘ線写真法は数々の改良が重ねられており、現在では、輝尽性蛍光体を用いた放射線撮影方法が確立されている。
【０００３】
輝尽性蛍光体（蓄積性蛍光体）とは、放射線を照射するとその放射線エネルギーの一部が蓄積され、その後、可視光等の励起光を照射すると、蓄積されたエネルギーに応じて輝尽発光する物質であり、その存在は従来から知られていた。これを用いた放射線撮影方法とは、輝尽性蛍光体を塗布したシートに人体（被検者）の放射線画像を撮影記録し、この輝尽性蛍光体シートをレーザ光等の励起光で走査すると輝尽発光光が生じるので、この光を光電的に読み取ることにより画像データを得るものである。この画像データを適切に処理した後、ＣＲＴ等のディスプレイに表示したり、レーザプリンタ等によりフィルムに印刷して、放射線画像を可視画像として出力することができる。
【０００４】
一方、近年においては、様々な情報を共有化することにより、医療診断の質及び効率を上げるために、病院内情報システム（ｈｏｓｐｉｔａｌ  ｉｎｆｏｒｍａｔｉｏｎ  ｓｙｓｔｅｍ：ＨＩＳ）や、放射線科における放射線情報システム（ｒａｄｉｏｌｏｇｙ  ｉｎｆｏｒｍａｔｉｏｎ  ｓｙｓｔｅｍ：ＲＩＳ）の構築が進められている。ＲＩＳは、通常のＸ線医用画像撮影装置や、Ｘ線ＣＴ（ｃｏｍｐｕｔｅｄ  ｔｏｍｏｇｒａｐｈｙ）装置や、磁気共鳴画像（ｍａｇｎｅｔｉｃ  ｒｅｓｏｎａｎｃｅ  ｉｍａｇｉｎｇ：ＭＲＩ）装置等のディジタル化された医用画像撮影装置をネットワークに接続すると共に、検査の受付や予約を一括管理し、患者に関する情報を共有するシステムである。このようなＲＩＳを採用することにより、撮影ミスのない放射線撮影を効率良く行うことができるようになる。
【０００５】
ところで、被検者の放射線画像を撮影する場合に、コントラストを最適化して明瞭な画像を得るべく、撮影部位や被検者の体型に応じて曝射エネルギーが調節される。これは、被検者を透過する放射線量が、被検者の体型、特に、体の厚さ（体厚）に依存するからである。即ち、痩せている人では太っている人に比べて放射線透過量が全体的に多くなるので、被検者の体型に対して曝射エネルギーを高めに設定してしまうと、被検者に過剰な被曝を与えることになる。反対に、被検者の体型に対して曝射エネルギーを低めに設定してしまうと、粒子性が劣り画質が安定しない等、適切な放射線画像を得ることができない。
【０００６】
このような曝射エネルギーの調整はオペレータによって行われるので、被検者に最適な撮影条件を得ることができるか否かは、オペレータの熟練度によるところも大きい。そのため、撮影を行う度にオペレータの判断によって曝射エネルギーを調整するのでは、撮影に時間を要することになる。
【０００７】
そのため、特許文献１には、放射線画像の撮影に失敗したとき、即ち、写損画像が発生した場合に、再撮影を行うための撮影条件の入力を容易にした画像情報処理システムが開示されている。
しかしながら、写損が生じた場合だけでなく、新たに放射線画像を撮影する場合においても、撮影条件を容易に入力できることが望ましい。
【０００８】
【特許文献１】
特開２００２−１５９４８３号公報
【０００９】
【発明が解決しようとする課題】
そこで、本発明は、上記の点に鑑み、放射線撮影を行う際に必要な情報を、容易に入力することができる医用画像処理システム及び医用画像撮影方法を提供することを目的とする。
【００１０】
【課題を解決するための手段】
上記課題を解決するため、本発明に係る医用画像処理システムは、被検者に放射線を照射して撮影された放射線画像を読み取ることによって得られた画像データに基づいて放射線画像データを生成するシステムであって、被検者である患者を識別するための患者情報及び撮影対象である部位に関する情報を含む複数の撮影情報であって、過去に行われた放射線撮影に関する複数の撮影情報を記録する記録手段と、複数の撮影情報の中から、１つの撮影情報を表示する表示手段と、該表示手段に表示された撮影情報について、新たに行われる放射線撮影における被検者に関する情報及び検査に関する情報との相違部分を修正させるために用いられる入力手段と、該入力手段を用いて修正された内容に基づいて、新たに行われる放射線撮影において用いられる撮影情報を登録する撮影情報登録手段とを具備する
【００１１】
また、本発明に係る医用画像撮影方法は、被検者に放射線を照射して撮影された放射線画像を読み取ることによって得られた画像データに基づいて放射線画像データを生成する方法であって、予め記録されている被検者である患者を識別するための患者情報及び撮影対象である部位に関する情報を含む複数の撮影情報であって、過去に行われた放射線撮影に関する複数の撮影情報の中から、１つの撮影情報を表示するステップ（ａ）と、表示された撮影情報について、新たに行われる放射線撮影における被検者に関する情報及び検査に関する情報との相違部分を修正するステップ（ｂ）と、ステップ（ｂ）において修正された内容に基づいて、新たに行われる放射線撮影において用いられる撮影情報を登録するステップ（ｃ）とを具備する。
【００１２】
本発明によれば、予め記録されている撮影情報に修正を加えることにより、新たに行われる放射線撮影における撮影情報として用いるので、撮影の際に必要な撮影条件等の情報を容易に入力することができる。
【００１３】
【発明の実施の形態】
以下、図面を参照しながら本発明の実施の形態について説明する。
図１は、本発明の一実施形態に係る医用画像撮影システムの構成を示すブロック図である。図１に示すように、この放射線画像撮影システムは、被検者に放射線を照射して撮影を行うことにより記録シート（輝尽性蛍光体シート）１に放射線画像を記録する医用画像撮影装置１０と、記録シート１に記録されている放射線画像等の情報を光電的に読み取って画像データを生成する医用画像読取り装置２０と、医用画像読取り装置２０から画像データを入力して各種の処理を行い、医療用診断画像を表示又は出力する医用画像情報処理装置３０とを含んでいる。
【００１４】
医用画像撮影装置１０は、記録シート１の位置を上下に移動させることにより被検者における撮影位置を昇降させる撮影位置昇降機構１１と、被検者の足の位置を決める撮影台１２と、被検者に放射線を照射する放射線発生部１３と、与えられた撮影条件に従って放射線発生部１３等を制御する撮影制御部１４と、各種の命令や撮影条件等を入力するために用いられる入力部１５とを含んでいる。撮影制御部１４は、ネットワークＮ１に接続されており、ネットワークＮ１を介して入力された撮影条件に基づいて各部を制御する。
【００１５】
放射線撮影に用いられる記録シート１は、輝尽性蛍光体物質を塗布したものであり、放射線が照射されることにより被写体の情報が記録される。記録シート１には、各記録シートを識別するためのＩＤを表すバーコード等が付されている。被検者の放射線撮影が行われると、その放射線画像情報が記録シート１に記録される。撮影後、記録シート１は、医用画像読取り装置２０の所定の位置にセットされる。
【００１６】
医用画像読取り装置２０において、レーザ光源２１から出射した光ビームは、光走査部２２を通って記録シート１の表面を走査する。この走査により光ビームが記録シート１に照射され、光ビームが照射された箇所から蓄積記録された放射線画像情報に応じた光量の輝尽発光光が生じる。輝尽発光光は、フォトマルチプライヤ（光電子増倍管）２３により光電的に検出され、アナログ信号として出力されて増幅器２４により増幅され、Ａ／Ｄ変換器２５によりディジタル化される。このようにして生成された画像データが、ネットワークＮ１を介して医用画像情報処理装置３０に入力される。
【００１７】
医用画像情報処理装置３０は、医用画像撮影システムを操作するための各種の命令や情報を入力するために用いられる入力部３１と、医療用診断画像を表示する表示部３２と、医療用診断画像をフィルム等に印刷するプリンタ３３と、処理部４０とを含んでいる。入力部３１は、キーボードや、マウスや、入力ボタンや、入力ツマミや、タッチパネル等の入力デバイスを含んでいる。表示部３２は、例えば、ＣＲＴ等の表示装置を含んでいる。処理部４０は、放射線撮影を行う際の撮影情報の登録や、撮影条件の設定や、放射線撮影によって得られた画像データの処理を行う。医用画像情報処理装置３０には、必要に応じて、バーコードリーダやＩＤカードリーダ等の外部装置５０が接続される。
【００１８】
図２は、医用画像処理装置の詳細な構成を示すブロック図である。処理部４０は、中央演算装置（以下、ＣＰＵという）４１と、メモリ４２と、ハードディスク４３と、ハードディスク制御部４４と、インタフェース４５と、ネットワークインタフェース４６と、外部インタフェース４７とを含んでいる。これらは、バスラインを介して相互に接続されている。
【００１９】
ＣＰＵ４１は、インタフェース４５を介して、キーボードやマウス等の入力部３１や、表示部３２や、プリンタ３３に接続されており、ネットワークインタフェース４６及びネットワークＮ１を介して、医用画像撮影装置１０及び医用画像読取り装置２０に接続されており、外部インタフェース４７を介して外部装置５０に接続されている。
【００２０】
ＣＰＵ４１は、撮影情報登録部４１ａと、撮影条件設定部４１ｂと、画像処理部４１ｃと、出力処理部４１ｄとを含んでいる。
撮影情報登録部４１ａは、放射線撮影を行う際の撮影情報の登録を行う。即ち、ＩＤや氏名や性別等の患者を識別するための患者情報や、撮影対象の部位等を含む撮影メニューを、放射線撮影の際に使用される記録シート１のＩＤと関連付ける。
【００２１】
撮影条件設定部４１ｂは、登録された撮影情報に基づいて、撮影条件の設定を行う。撮影条件としては、例えば、医用画像撮影装置の管電圧（ｋＶ）や管電流（ｍＡ）、照射時間（ｍｓｅｃ）等の条件が含まれ、これらは、撮影部位や、診断目的等に応じて設定される。設定された撮影条件は、出力部４１ｄからネットワークインタフェース４６を介して、医用画像撮影装置１０の撮影制御部１４に入力される
【００２２】
画像処理部４１ｃは、医用画像読取り装置２０において生成され、ネットワークＮ１を介してＣＰＵ４１に入力された画像データに対して、規格化、階調処理、論理読み処理等の画像処理を施す。画像処理が施された画像データは、出力部４１ｄからインタフェース４５を介して表示部３２又はプリンタ３３に出力され、医療用診断画像がディスプレイに表示されたりフィルム等に印刷される。
【００２３】
本実施形態においては、図２に示す画像処理部４１ａ、出力部４１ｄ、画質評価情報管理部４１ｃの各部を、ＣＰＵとソフトウェアで構成しているが、ディジタル回路やアナログ回路で構成しても良い。
【００２４】
ハードディスク４３には、ＣＰＵ４１に動作を行わせるためのソフトウェア（プログラム）と、過去に行われた放射線撮影において登録された撮影情報と、画像処理部４１ｃにおいて画像処理された画像データとを記録している。なお、記録媒体としては、内蔵のハードディスク４３の他に、外付けハードディスク、フレキシブルディスク、ＭＯ、ＭＴ、ＲＡＭ、ＣＤ−ＲＯＭ、又は、ＤＶＤ−ＲＯＭ等を用いることもできる。
ハードディスク制御部４４は、ハードディスク４３の駆動を制御している。
【００２５】
次に、本実施形態に係る画像情報処理システムの動作について、図３〜図５を参照しながら説明する。図３は、本実施形態に係る画像情報処理システム及びオペレータの動作を示すフローチャートである。
ステップＳ１〜Ｓ３において、医用画像情報処理装置３０は、被検者の患者情報と撮影メニューと記録シート１とを対応付けることにより、撮影情報の登録を行う。
まず、オペレータは、バーコードリーダを用いて記録シート１に付されたバーコードを読み取らせる。これにより、ステップＳ１において、記録シート１のＩＤが医用画像情報処理装置３０に入力される。或いは、ＲＩＳやＨＩＳを介して、記録シート１のＩＤを医用画像情報処理装置３０に入力するようにしても良い。
【００２６】
次に、ステップＳ２において、新たに放射線撮影を行う被検者の患者情報及び撮影メニューを入力する。まず、オペレータは、医用画像情報処理装置３０に、図４に示す登録画面１００を表示部３２に表示させる。登録画面１００は、新たに放射線撮像を行う患者のＩＤ番号や、氏名や、生年月日や、撮影を行う技師名等を含む患者情報と、撮影メニューとを登録するための画面である。登録画面１００の患者情報入力部１０１や撮影メニュー入力部１０２においては、キーボードを用いて情報をテキスト入力することが可能である。また、「患者リスト」ボタン１０３や、「撮影済み検査リスト」ボタン１０４や、「前回の撮影情報取得」ボタン１０５や、「検査開始」ボタン１０６は、入力ボタンであり、それらのボタンをマウス等によってクリックすることにより、所定の情報がそれぞれ入力されるようになっている。
【００２７】
オペレータは、このような登録画面１００に必要な情報を入力する。登録画面１００の入力は、患者情報入力部１０１及び撮影メニュー入力部１０２に、過去に行われた検査の情報を表示させ、表示された情報について、必要事項を修正することによって行う。例えば、「前回の撮影情報取得」ボタン１０５を押下すると、図５に示すように、前回行われた放射線撮影の被検者に関する患者情報及び撮影メニューが、患者情報入力部１０１及び撮影メニュー入力部１０２にそれぞれ表示される。オペレータは、表示された画面を見て、新たに行われる放射線撮影の患者情報及び撮影メニューと相違する部分について修正を行う。
【００２８】
或いは、オペレータは、「撮影済み検査リスト」ボタン１０４を押下しても良い。これにより、図６に示すように、撮影済み検査リスト画面１１０が表示される。撮影済み検査リスト画面１１０には、放射線撮影が行われた全ての検査が、新しい順に表示されている。そこで、オペレータは、使用したい情報を選択し、「コピー」ボタン１１１を押下する。すると、図５に示すように、選択された情報がコピーされ、患者情報入力部１０１及び撮影メニュー入力部１０２に表示される。そこで、オペレータは、表示された画面を見て、新たに行われる放射線撮影の患者情報及び撮影メニューと相違する部分について修正を行う。これらの入力方法は、例えば、集団定期検診のように、複数の患者について同一部位を撮影する等の場合に有効である。
【００２９】
さらに、オペレータは、「患者リスト」ボタン１０３を押下しても良い。これより、図７に示すように、患者リスト画面１２０が表示される。患者リスト画面１２０には、過去に放射線撮影を行ったことのある患者のリストが表示されていうる。そこで、オペレータは、新たに被検者である患者を選択し、「コピー」ボタン１２１を押下する。すると、図５に示すように、選択された情報がコピーされ、患者情報入力部１０１及び撮影メニュー入力部１０２に表示される。そこで、オペレータは、表示された画面を見て、これから行う検査と相違する内容について修正を行う。この入力方法は、同一患者について定期的に検査する等の場合に有効である。
或いは、患者情報入力部１０１や撮影メニュー入力部１０２に、必要な情報を全てテキスト入力しても良い。
【００３０】
ステップＳ３において、オペレータが、図５に示す「検査開始」ボタン１０６を押下すると、患者情報入力部１０１及び撮影メニュー入力部１０２に入力されている内容が、記録シート１のＩＤと関連付けられ、撮影情報として登録される。これに応じて、画像処理装置３０の処理部４０は、登録された撮影情報に基づいて、放射線撮影を制御するための撮影条件を設定する。
【００３１】
処理部４０によって設定された撮影条件は、医用画像撮影装置１００の撮影制御部１４に入力され、これにより、放射線撮影が開始される（ステップＳ４）。即ち、医用画像撮影装置１０は、撮影制御部１４の制御に従って、被検者に放射線を照射することにより、患者情報と関連付けられた記録シート１に放射線画像情報を記録する。
【００３２】
次に、ステップＳ５において、医用画像読取り装置２０は、患者情報と関連付けられた記録シート１に記録されている放射線画像を読み取り、画像データを生成する。次に、ステップＳ６において、医用画像情報処理装置３０は、医用画像読取り装置２０から画像データを入力して画像処理を行い、画像処理されたデータに基づいて放射線画像を表示する。
【００３３】
オペレータは、画像処理装置３０の表示部３２に表示された放射線画像を見て、所望の放射線画像が得られているか否かを確認する。ここで、例えば、撮影中に患者が不用意に動いてしまった等の理由により、所望の放射線画像が得られていないと判断された場合には（ステップＳ７）、ステップＳ４に戻り、再び放射線撮影が行われる。また、撮影条件の設定が不適切であったために所望の放射線画像が得られていないと判断された場合には、ステップＳ２に戻り、患者情報及び撮影メニューを修正して撮影情報を再登録して、再び放射線撮影が行われる。
【００３４】
一方、所望の放射線画像が得られていた場合には（ステップＳ７）、ステップＳ８において、その放射線画像を表す画像データは、患者情報に関連づけられて処理部４０のハードディスク４３に記録される。この画像データは、医師による診断や読影が行われる際に随時読み出されて利用される（ステップＳ９）。
【００３５】
以上説明したように、本実施形態によれば、先に行われた放射線撮影において登録された撮影情報を用い、それを修正することによって新たに行われる放射線撮像の撮影情報を登録するので、撮影情報の登録作業を容易且つ短時間に行うことができる。例えば、集団定期検診等のように、多数の患者の同一部位について放射線撮影を行う場合には、患者情報のみを修正すれば良い。また、一人の患者について定期的に検査を行う場合には、患者情報だけでなく、撮影メニューについても修正しないで済む。従って、放射線撮影に要する時間を短縮することが可能になる。
【００３６】
本実施形態においては、登録画面において、図５に示す「前回の撮影情報」を表示するか、図６に示す「撮影済み検査リスト」を表示するか、図７に示す「患者リスト」を表示するかをオペレータに選択させるようにしたが、登録画面１００（図４）が表示されたときに、既に「前回の撮影情報」が示されているようにしても良い。これにより、続けて同一部位の検査を行う等の場合には、さらに放射線撮影に要する時間を短縮することができる。
【００３７】
また、登録処理を行う際に、画面に表示された患者リスト（図７）の中から被検者である患者を選択する替わりに患者名や患者のＩＤを入力し、これに応じて、その患者が前回放射線撮影を行った際の撮影メニューが表示されるようにしても良い。その際に、前回の撮影メニューが自動的に引き継がれるようにしても良いし、前回の撮影メニューを引き継ぐか否かをオペレータに選択させても良い。
【００３８】
さらに、本実施形態においては、画像情報処理部３０に記録されている患者情報及び撮影メニューに基づいて、新たな放射線撮影における撮影情報の登録を行ったが、ＲＩＳやＨＩＳを介して電子カルテと連携させ、その電子カルテから放射線撮影を行う患者の前回の撮影情報等を取得するようにしても良い。
【００３９】
また、本実施形態においては、医用画像撮影装置にネットワークによって接続された医用画像情報処理装置を用いて撮影情報の登録を行ったが、医用画像撮影装置に医用画像情報処理装置の入力部及び処理部に相当する機能を持たせても良い。これにより、スタンドアローン型の医用画像撮影装置においても、容易且つ短時間に撮影情報の登録を行うことができる。
【００４０】
【発明の効果】
以上説明したように、本発明によれば、先に行われた放射線撮影の際に登録された撮影情報を用い、これに修正を加えることにより、新たな放射線撮影における撮影情報を登録するので、撮影の際に必要な情報を容易に且つ短時間に入力することができる。
【図面の簡単な説明】
【図１】本発明の一実施形態に係る医用画像撮影システムの構成を示すブロック図である。
【図２】図１に示す医用画像情報処理装置の詳細な構成を示すブロック図である。
【図３】本発明の一実施形態に係る医用画像撮影システムの動作を示すフローチャートである。
【図４】図１に示す医用画像情報処理装置に表示される登録画面を示す図である。
【図５】図１に示す医用画像情報処理装置に表示される登録画面を示す図である。
【図６】図１に示す医用画像情報処理装置に表示される撮影済み検査リスト画面を示す図である。
【図７】図１に示す医用画像情報処理装置に表示される患者リスト画面を示す図である。
【符号の説明】
１  記録シート（輝尽性蛍光体シート）
１０  医用画像撮影装置
１１  撮影位置昇降機構
１２  撮影台
１３  放射線発生部
１４  撮影制御部
１５  入力部
２０  医用画像読取り装置
２１  レーザ光源
２２  光走査部
２３  フォトマルチプライヤ（光電子増倍管）
２４  増幅器
２５  Ａ／Ｄ変換器
３０  医用画像情報処理装置
３１  入力部
３２  表示部
３３  プリンタ
４０  処理部
４１  中央演算装置（ＣＰＵ）
４１ａ  撮影情報登録部
４１ｂ  撮影条件設定部
４１ｃ  画像処理部
４１ｄ  出力部
４２  メモリ
４３  ハードディスク
４４  ディスク制御部
４５  インタフェース
４６  ネットワークインタフェース
４７  外部インタフェース
５０  外部装置
１００  登録画面
１０１  患者情報入力画面
１０２  撮影メニュー入力画面
１０３  「患者リスト」ボタン
１０４  「撮影済み検査リスト」ボタン
１０５  「前回の撮影情報取得」ボタン
１０６  「検査開始」ボタン
１１０  撮影済み検査リスト画面
１１１、１２１  「コピー」ボタン
１２０  患者リスト画面
【図１】
2004283267.tif 000003
【図２】
2004283267.tif 000004
【図３】
2004283267.tif 000005
【図４】
2004283267.tif 000006
【図５】
2004283267.tif 000007
【図６】
2004283267.tif 000008
【図７】
2004283267.tif 000009